(57)【要約】      （修正有） 【課題】構造が簡単で、コストが低く、操作が簡単で信頼性が高いハンドヘルド家庭用グラインダーを提供する。【解決手段】貯蔵室１．１が配置されているハウジング１を具備し、上記ハウジングの貯蔵室には、研削レバー２が設置され、ハウジングから研削レバーまで延びる研削レバーの上部の一部は、貯蔵室の外部に露出し、貯蔵室の外部に位置している研削レバーの上部には、力受けブロックが固定される。ハウジングでは、研削レバーの下部の長さ方向に対応する位置に貫通孔が設置され、上記研削レバーの下部は、貫通孔を通過して貯蔵室の外部に出るか、貫通孔を介して貯蔵室内にリセットされ、上記研削レバーの下部の外側壁に、粗面が設置され、研削レバーが研削レバーの外側壁の粗面を駆動して、貫通孔内に移動するとき、粗面と貫通孔の内側壁との間の隙間には、材料を研削するための研削空間が形成される。【選択図】図１
0003225975.tif 000002
【実用新案登録請求の範囲】
【請求項１】
貯蔵室（１.１）が配置されているハウジング（１）を具備するハンドヘルド家庭用グラインダーにおいて、
前記ハウジング（１）の貯蔵室（１.１）には、研削レバー（２）が設置され、ハウジング（１）から研削レバー（２）まで延びる研削レバー（２）の上部の一部は、貯蔵室（１.１）の外部に露出し、貯蔵室（１.１）の外部に位置している研削レバー（２）の上部には、力受けブロック（６）が固定され、ハウジング（１）では、研削レバー（２）の下部の長さ方向に対応する位置に貫通孔（３）が設置され、前記研削レバー（２）の下部は、貫通孔（３）を通過して貯蔵室（１.１）の外部に出るか、貫通孔（３）を介して貯蔵室（１.１）内にリセットされ、前記研削レバー（２）の下部の外側壁に、粗面（４）が設置され、研削レバー（２）が研削レバー（２）の外側壁の粗面（４）を駆動して、貫通孔（３）内に移動するとき、粗面（４）と貫通孔（３）の内側壁との間の隙間には、材料を研削するための研削空間（５）が形成されることを特徴とするハンドヘルド家庭用グラインダー。
【請求項２】
前記貯蔵室（１.１）内の、貫通孔（３）が位置している下端面が、垂直方向に下向きに凹んでテーパー面（１.１.１）が形成され、テーパー面（１.１.１）の小口端は、貫通孔（３）とマッチングしていることを特徴とする請求項１に記載のハンドヘルド家庭用グラインダー。
【請求項３】
前記力受けブロック部（６）は、研削レバー（２）の上部に着脱可能に接続されていることを特徴とする請求項１に記載のハンドヘルド家庭用グラインダー。
【請求項４】
前記力受けブロック部（６）と前記ハウジング（１）との間に１つのリセットバネ（７）が設けられており、リセットバネ（７）の両端は、それぞれハウジング（１）と力受けブロック（６）に当接していることを特徴とする請求項１に記載のハンドヘルド家庭用グラインダー。
【請求項５】
前記ハウジング（１）での前記貯蔵室（１.１）にある上方には、作業室（１.２）が設けられ、前記研削レバー（２）の上部は作業室（１.２）内に延び、前記力受けブロック（６）とリセットバネ（７）は共に作業室（１.２）内に配置され、前記作業室（１.２）内の、力受けブロック（６）が前記研削レバー（２）から離れている上方には、活動ブロック（８）が設けられていることを特徴とする請求項４に記載のハンドヘルド家庭用グラインダー。
【請求項６】
前記ハウジング（１）の側壁は、長手方向に沿って上方に伸びて開口方向に上向きの溝を形成し、溝の開口部には上端カバー（９）が覆われており、上端カバー（９）の下端面と溝の内面で包囲して作業室（１.２）が形成されていることを特徴とする請求項５に記載のハンドヘルド家庭用グラインダー。
【請求項７】
前記ハウジング（１）は、開口方向が下に向けた本体と、本体開口にカバーされた下端カバー（１０）とを備え、下端カバー（１０）の上端面と本体の内側壁との間に、包囲して貯蔵室（１.１）が形成され、前記貫通孔（３）が下端カバー（１０）に設けられていることを特徴とする請求項１に記載のハンドヘルド家庭用グラインダー。
【考案の詳細な説明】
【技術分野】
【０００１】
本考案は、台所用品の技術分野に関し、具体的には、ハンドヘルド家庭用グラインダーに関する。  
【背景技術】
【０００２】
家庭用グラインダーは、大きな粒や塊状の調味料や香辛料を研磨するための家庭用手動工具で、大型の研磨設備と比べて、家庭の台所にある少量の調味料の現在の粉砕を実現することができるので、より多くの消費者が支持されている。しかし、既存の家庭用グラインダーは電気駆動されるまたはハンドヘルドロッカーアームによって駆動されることが多く、最終的には回転軸駆動によって粉砕羽根を動かして砕いたり、相対回転の二つのローラーで押しつぶしたりする。従って、この従来技術のグラインダーは構造が複雑で、関連する伝達部品が多いことが分かりやすいので、操作過程が複雑で、設備コストが高く、故障率が高く、また、複雑な構造設計は研磨器内に残留調味料を堆積しやすく、掃除に不便である。
【考案の概要】
【考案が解決しようとする課題】
【０００３】
本考案によって解決しようとする技術的な課題は、構造が簡単であり、コストが低く、操作が簡単で信頼性が高いハンドヘルド家庭用グラインダーを提供することである。
【課題を解決するための手段】
【０００４】
本考案が採用している技術案は、以下の通りである。即ち、貯蔵室が配置されているハウジングを具備するハンドヘルド家庭用グラインダーにおいて、前記ハウジングの貯蔵室には、研削レバーが設置されハウジングから研削レバーまで延びる研削レバーの上部の一部は、貯蔵室の外部に露出し、貯蔵室の外部に位置している研削レバーの上部には、力受けブロックが固定され、ハウジングでの、研削レバーの下部の長さ方向に対応する位置に貫通孔が設置され、前記研削レバーの下部は、貫通孔を通過して貯蔵室の外部に出るか、貫通孔を介して貯蔵室内にリセットされ、前記研削レバーでの下部の外側壁に、粗面が設置され、研削レバーが研削レバーの外側壁の粗面を駆動して、貫通孔内に移動するとき、粗面と貫通孔の内側壁との間の隙間は、材料を研削するための研削空間が形成されているハンドヘルド家庭用グラインダーを提供する。研削レバーの粗面と通孔の内側の壁の支柱内の相対運動によって調味料の研削ができるので、操作が簡単である。
【０００５】
前記貯蔵室内の、貫通孔が位置している下端面が、垂直方向に下向きに凹んでテーパー面が形成され、テーパー面の小口端は、貫通孔とマッチングしている。テーパ面によって、貯蔵室内の大きな粒状調味料を自動的に貫通孔内に収束させることができる。
【０００６】
貯蔵室の外部に位置している研削レバーの上部には、力受けブロックが固定されている。力受けブロックによって外部の力を受けて研削レバーに加え、研削レバーを駆動して軸方向に動かすることが便利である。
前記力受けブロック部は、研削レバーの上部に着脱可能に接続されている。
【０００７】
前記力受けブロック部と前記ハウジングとの間に１つのリセットバネが設けられており、リセットバネの両端は、それぞれハウジングと力受けブロックに当接している。
【０００８】
前記ハウジングでの前記貯蔵室にある上方には、作業室が設けられ、前記研削レバーの上部は作業室内に延び、前記力受けブロックとリセットバネは共に作業室内に配置され、前記作業室内の、力受けブロックが前記研削レバーから離れている上方には、活動ブロックが設けられている。活動ブロックの慣性力を利用して、力ブロックに当たると、研削レバーを駆動して軸方向に動かすことができるので、操作者は片手で操作し、即ち片手でハウジングを握り、かつハウジングを揺動することで、作業室内の活動ブロックを駆動して、前後に揺れ動くように力ブロックに当たることができる。
【０００９】
前記ハウジングの側壁は、長手方向に沿って上方に伸びて開口方向に上向きの溝を形成し、溝の開口部には上端カバーが覆われており、上端カバーの下端面と溝の内面で包囲して作業室が形成されている。
【００１０】
前記ハウジングは、開口方向が下に向けた本体と、本体開口にカバーされた下端カバーとを備え、下端カバーの上端面と本体の内側壁との間に、包囲して貯蔵室が形成され、前記貫通孔が下端カバーに設けられている。下端カバーの取り外しにより、貯蔵室の清掃や研磨すべき調味料の再装填が容易になる。
【考案の効果】
【００１１】
以上のような構造を採用した場合に、本考案のハンドヘルド家庭用グラインダーは、従来技術と比べて以下の利点を有している。まず、研削レバーとハウジング上の貫通孔を組み合わせることにより、調味料に対する研削を完成することができる。したがって、関連する部品は少なく、構造は簡単で信頼性が高い。次に、活動ブロックを増設することにより操作者は片手で作業することを実現できるので、操作が簡単であり、同時に閉鎖された作業室も外部のほこりや油汚れがハウジング上部と研削レバーの間に滑り合わせた穴の隙間から貯蔵室内に落とすことを避けることができる。
【図面の簡単な説明】
【００１２】
【図１】本考案のハンドヘルド家庭用グラインダーの構成図である。
【図２】図１の「Ａ」領域の部分拡大概略図である。
【図３】図１の「Ｂ」領域の部分拡大概略図である。
【図４】図３の「Ｃ」領域の部分拡大概略図である。
【考案を実施するための形態】
【００１３】
以下、本考案を、図面および具体的な実施形態と併せてさらに説明する。
本考案は、ハンドヘルド家庭用グラインダーを提供し、当該ハンドヘルド家庭用グラインダーは、貯蔵室１.１が配置されているハウジング１を具備し、前記ハウジング１の貯蔵室１.１には、研削レバー２が設置されハウジング１から研削レバー２まで延びる研削レバー２の上部の一部は、貯蔵室１.１の外部に露出し、貯蔵室１.１の外部に位置している研削レバー２の上部には、力受けブロック６が固定され、ハウジング１での、研削レバー２の下部の長さ方向に対応する位置に貫通孔３が設置され、前記研削レバー２の下部は、貫通孔３を通過して貯蔵室１.１の外部に出るか、貫通孔３を介して貯蔵室１.１内にリセットされ、前記研削レバー２での下部の外側壁に、粗面４が設置され、研削レバー２が研削レバー２の外側壁の粗面４を駆動して、貫通孔３内に移動するとき、粗面４と貫通孔３の内側壁との間の隙間は、材料を研削するための研削空間５が形成されている。
【００１４】
前記貫通孔３は、研削レバー２の下部がハウジングを自由に通り抜けるためのものである。従って、貫通孔３は、四角穴、円孔などの任意の形状であってもよい。同様な理由により、前記研削レバー２は、円形レバーや角形レバーなどを使用してもよい。
【００１５】
前記粗面４の形成は、一つの光棒を選択して、光棒の外側の壁にいくつかの凹みが形成され、すべての凹みで粗面４を構成しても良い。また、一つの光棒の外側の壁に、粗面を持つカバー層をコーティングすることにより形成しても良い。さらに粒子層を被覆することにより形成しても良い。しかし、本考案は家庭用の台所に多く用いられている状況を考慮して、調味料に不純物が混入しないようにするために、上述の粗面に粒子不純物が落下しないようにするため、光棒に磨きをかけて若干の凹みが形成され、隣接する凹みの間にリブが形成されることが好ましい。
【００１６】
前記研削空間５とは、貫通孔３の内側壁と、粗面４の凹凸の外側表面との間にリングギャップが形成されたものであり、前記リングギャップは、径方向の間隔に沿って任意の点が無秩序に変化する。
【００１７】
前記貯蔵室１.１内の、貫通孔３が位置している下端面が、垂直方向に下向きに凹んでテーパー面１.１.１が形成され、テーパー面１.１.１の小口端は、貫通孔３とマッチングしている。上記のマッチングとは、テーパ面１.１.１が両端の直径が異なるベルマウス形状であり、大口端が貯蔵室１.１の内側壁に接続され、小口端が貫通孔３の上端に接続されることにより、貯蔵室１.１の大きな粒子状物質を貫通孔３に集め、最終的に研削空間５により研磨プロセスを完成させることができる。
【００１８】
貯蔵室１.１の外部に位置している研削レバー２の上部には、力受けブロック６が固定されている。外部力を力受けブロック６に加え、力受けブロック６によって研削レバー２を駆動して自身の軸方向に往復運動させ、調味料を連続的に研磨する。
前記力受けブロック部６は、研削レバー２の上部に着脱可能に接続されている。
【００１９】
前記力受けブロック部６と前記ハウジング１との間に１つのリセットバネ７が設けられており、リセットバネ７の両端は、それぞれハウジング１と力受けブロック６に当接している。
【００２０】
前記ハウジング１での前記貯蔵室１.１にある上方には、作業室１.２が設けられ、前記研削レバー２の上部は作業室１.２内に延び、前記力受けブロック６とリセットバネ７は共に作業室１.２内に配置され、前記作業室１.２内の、力受けブロック６が前記研削レバー２から離れている上方には、活動ブロック８が設けられている。操作者は、ハウジング１を把持し、ハウジング1を往復揺動させるだけで、活動ブロック８の慣性力で力受けブロック６に衝突し、調味料を研削することができる。これにより操作者が片手で操作できる。
【００２１】
前記ハウジング１の側壁は、長手方向に沿って上方に伸びて開口方向に上向きの溝を形成し、溝の開口部には上端カバー９が覆われており、上端カバー９の下端面と溝の内面で包囲して作業室１.２が形成されている。
【００２２】
前記ハウジング１は、開口方向が下に向けた本体と、本体開口にカバーされた下端カバー１０とを備え、下端カバー１０の上端面と本体の内側壁との間に、包囲して貯蔵室１.１が形成され、前記貫通孔３が下端カバー１０に設けられている。取り外し可能な下部カバー１０によって、調味料を貯蔵室１.１内に入れるのに便利である。
【００２３】
前記貯蔵室１.１内には、研削レバー２の外側に設けられ、かつ上端面が貯蔵室１.１の上面と嵌合されたリング状のスペーサブロック１１が設けられており、前記研削レバー２は、スペーサブロック１１とスライドして協働し、貯蔵室１.１内の調味料粉末が研削レバー２とハウジング１上部の穴の間に係合されていることを遮断するためのものである。
【００２４】
本考案の動作原理は、操作者がハウジング１を把持し、ハウジング１の長手方向に往復揺動することにより、作業室１.２内の活動ブロック８が自身の慣性力の作用によって連続的に力受けブロック６に衝突し、力受けブロックによって研削レバー２を駆動して軸方向に往復運動させ、粗粒の調味料が研削レバー２の軸方向の移動に沿って移動しながら研削空間５に持ち込まれ、最終的には細粒に粉砕された調味料がハウジング１の外に持ち出される。もちろん、粗粒調味料を新たに装填する必要がある場合には、下端カバー１０を開ければ良い。
【００２５】
以上、本考案の好ましい実施形態を説明したが、特許請求の範囲を限定するものとして解釈されるべきではない。本考案は上記実施形態に限定されるものではなく、その具体的な構成は様々であり、特許請求の範囲に記載された本考案の範囲内での種々の変更は本考案の保護範囲内にあることを可能にする。
【符号の説明】
【００２６】
１  ハウジング
１.１  貯蔵室
１.１.１  テーパ面
１.２  作業室
２  研削レバー
３  貫通孔
４  粗面
５  研削空間
６  力受けブロック
７  リセットバネ
８  活動ブロック
９  上端カバー
１０  下端カバー
１１  スペーサブロック
【図１】
0003225975.tif 000003
【図２】
0003225975.tif 000004
【図３】
0003225975.tif 000005
【図４】
0003225975.tif 000006